(57)【要約】【課題】  全体としてコンパクトな構成でありながら、高い光学性能を備えた内視鏡用対物レンズを提供する。【解決手段】  この対物レンズは、物体側から順に第１ないし第３レンズＬ１〜Ｌ３の３枚の単レンズからなる簡単な構成をなし、かつ、条件式（１）から条件式（３）を満足している。このため、コンパクト化を図りつつ、諸収差を良好に補正することができる。特に、面Ｓ１〜Ｓ６がいずれも非球面形状を含んでいないので、比較的容易に高い寸法精度を得ることができる。また、絞りＳｔを、第２レンズＬ２の物体側の面に接するように配置したことにより、テレセントリック性を確保できる。【選択図】        図１
2004264835.tif 000002
【特許請求の範囲】
【請求項１】
３群３枚構成の内視鏡用対物レンズであって、
物体側から順に、
像側に凹面を向けた平凹形状または負のメニスカス形状を有する第１のレンズと、
像側に凸面を向けた平凸形状を有する正の第２のレンズと、
物体側に凸面を向けた平凸形状を有する正の第３のレンズと
を備え、
前記第２のレンズの物体側の面に接するように絞りが設けられ、
かつ、以下の条件式（１）ないし条件式（３）を満足するように構成されている
ことを特徴とする内視鏡用対物レンズ。
２．００＜｜ｆ１／ｆ｜＜３．００  ……（１）
２．５０＜｜ｆ１／Ｄ２｜＜７．５０  ……（２）
｜Ｄ３／Ｒ４｜＜１．００  ……（３）
但し、
ｆ１：第１のレンズの焦点距離
ｆ：全系の焦点距離
Ｄ２：第１のレンズの像側の面と前記第２のレンズの物体側の面との光軸上における間隔
Ｄ３：第２のレンズの中心厚
Ｒ４：第２のレンズにおける像側の面の曲率半径
【請求項２】
前記第３のレンズにおける像側の面は、像面に設けられた光学繊維束の端面と、または撮像素子の端面と接合されている
ことを特徴とする請求項１に記載の内視鏡用対物レンズ。
【請求項３】
さらに、以下の条件式（４）を満足するように構成されている
ことを特徴とする請求項１または請求項２に記載の内視鏡用対物レンズ。
ｎｄ１＞１．８０  ……（４）
但し、
ｎｄ１：第１のレンズのｄ線に対する屈折率
【請求項４】
前記第１のレンズは、モールド成型により形成されるモールドレンズである
ことを特徴とする請求項１ないし請求項３のいずれか１項に記載の内視鏡用対物レンズ。
【請求項５】
前記第２および第３のレンズは、球状レンズからの削り出しにより形成されたものである
ことを特徴とする請求項１ないし請求項４のいずれか１項に記載の内視鏡用対物レンズ。
【発明の詳細な説明】
【技術分野】
【０００１】
本発明は、内視鏡に用いられる対物レンズに関し、特に、比較的細い径を有する内視鏡に用いられる対物レンズに関する。
【背景技術】
【０００２】
従来より、医療現場において、患者の体内の観察あるいは治療を行う際に内視鏡が用いられている。このような内視鏡に用いられる対物レンズとしては、バックフォーカスをゼロとし、最終レンズの像側の面をイメージ・ガイドのファイバーバンドル端面と接合するようにしたものが提案されている（例えば、特許文献１参照。）。しかしこの場合には、最終レンズとその直前のレンズとの間隔（すなわち、ピント調整間隔）が大きく、対物レンズ全長が長くなってしまい、内視鏡としての操作性の悪化が懸念された。そこで、ピント調整間隔が短いタイプの対物レンズとして、例えば、特許文献２に開示された対物レンズが提案されている。また、３枚構成のコンパクトなものとして、例えば、特許文献３に記載の対物レンズが開示されている。
【特許文献１】特開平２−６９７１０号公報
【特許文献２】特開平２−１７６６１２号公報
【特許文献３】特開平９−６８６４７号公報
【発明の開示】
【発明が解決しようとする課題】
【０００３】
しかしながら、上記特許文献２の対物レンズは、第３のレンズの正のパワーが比較的大きいのでコマ収差や非点収差等の諸収差を補正するのに非球面を導入せざるを得ず、加工上の問題により高い寸法精度の確保が困難であった。一方、上記特許文献３の対物レンズでは、第１レンズのパワーの大きさや絞りの位置の条件などにより、非点収差の補正が不十分となる場合があった。
【０００４】
本発明はかかる問題点に鑑みてなされたもので、その目的は、全体としてコンパクトな構成でありながら、高い光学性能を備えた内視鏡用対物レンズを提供することにある。
【課題を解決するための手段】
【０００５】
本発明に係る内視鏡用対物レンズは、３群３枚構成の内視鏡用対物レンズであり、物体側から順に、像側に凹面を向けた平凹形状または負のメニスカス形状を有する第１のレンズと、像側に凸面を向けた平凸形状を有する正の第２のレンズと、物体側に凸面を向けた平凸形状を有する正の第３のレンズとを備え、第２のレンズの物体側の面に接するように絞りが設けられ、かつ、以下の条件式（１）ないし条件式（３）を満足するように構成されている。但し、ｆ１は第１のレンズの焦点距離を表し、ｆは全系の焦点距離を表し、Ｄ２は第１のレンズの像側の面と第２のレンズの物体側の面との光軸上における間隔を表し、Ｄ３は第２のレンズの中心厚を表し、Ｒ４は第２のレンズにおける像側の面の曲率半径を表す。
２．００＜｜ｆ１／ｆ｜＜３．００  ……（１）
２．５０＜｜ｆ１／Ｄ２｜＜７．５０  ……（２）
｜Ｄ３／Ｒ４｜＜１．００  ……（３）
【０００６】
本発明に係る内視鏡用対物レンズでは、上記のような構成にすることにより、小型化を図りつつ諸収差を良好に補正することができる。特に、条件式（１）および条件式（２）を共に満足することにより、十分な視野角を確保することができると共に像面湾曲を抑えることができる。また、特に、条件式（３）を満足することにより、コマ収差の発生を抑えることができる。
【０００７】
また、本発明に係る内視鏡用対物レンズでは、第３のレンズにおける像側の面が、像面に設けられた光学繊維束の端面と、または撮像素子の端面と接合されていることが望ましい。ここで、「撮像素子の端面と接合」とは、第３のレンズにおける像側の面がカバーガラス等の保護層を介して接合されている場合をも含むものである。
【０００８】
本発明に係る内視鏡用対物レンズでは、さらに、以下の条件式（４）を満足するように構成されていることが望ましい。但し、ｎｄ１は第１のレンズのｄ線に対する屈折率を表す。
ｎｄ１＞１．８０  ……（４）
この条件式（４）を満足するような高屈折率の光学ガラスを第１のレンズに用いることにより、第１のレンズに必要とされるパワーを維持しつつ、その像側の凹面の曲率半径を大きく（すなわち、曲率を緩く）することができる。
【０００９】
また、本発明に係る内視鏡用対物レンズでは、第１のレンズが、モールド成型により形成されるガラスモールドレンズであることが望ましい。あるいは、モールド成型により形成されるプラスチックモールドレンズであってもよい。これにより、平凹形状または負のメニスカス形状を有する微小かつ高精度な寸法の第１のレンズを、より容易に精度良く得ることができる。
【００１０】
さらに、また、本発明に係る内視鏡用対物レンズでは、第２および第３のレンズが、球状レンズからの削り出しにより形成されたものであることが望ましい。これにより、平凸形状を有する微小かつ高精度な寸法の第２および第３のレンズを、より容易に得ることができる。
【発明の効果】
【００１１】
本発明の内視鏡用対物レンズによれば、物体側から順に、像側に凹面を向けた平凹形状または負のメニスカス形状を有する第１のレンズと、像側に凸面を向けた平凸形状を有する正の第２のレンズと、物体側に凸面を向けた平凸形状を有する正の第３のレンズとを備え、第２のレンズの物体側の面に接するように絞りを設け、かつ、所定の条件式（１）から条件式（３）を満足するように構成したので、良好な収差性能と十分な視野角を備え、よりコンパクトな構成とすることができる。さらに、非球面形状を含んでいないので、比較的容易に高い寸法精度を得ることができる。加えて、テレセントリック性を容易に確保することができる。
【００１２】
特に、第３のレンズにおける像側の面が、像面に設けられた光学繊維束の端面と、または撮像素子の端面と接合するようにした場合には、有効径を損なうことなく第３のレンズを固定することも可能となり、外径の増大を防ぐことができる。
【００１３】
また、特に、所定の条件式（４）を満足するようにした場合には、第１のレンズに必要とされるパワーを維持しつつ、その像側の凹面の曲率半径を大きくすることができる。したがって、諸収差の発生を抑制できると共に、加工が容易になるので、より高い寸法精度を確保できる。
【００１４】
さらに、第１のレンズをモールド成型により形成されるモールドレンズとし、第２および第３のレンズを球状レンズからの削り出しにより形成されたものとした場合には、より優れた加工性を得ることができ、より高い寸法精度を確保できる。
【発明を実施するための最良の形態】
【００１５】
以下、本発明の実施の形態について図面を参照して詳細に説明する。
【００１６】
図１および図２は、本発明の一実施の形態に係る内視鏡用対物レンズ（以下、単に対物レンズという。）の構成例を示している。図１および図２において、符号Ｒｉ（Ｒ１〜Ｒ６）は、ｉ番目の構成要素の面Ｓｉ（ｉ＝１〜６）の曲率半径を示し、符号Ｄｉ（Ｄ１〜Ｄ３）は、ｉ番目の面とｉ＋１番目の面との光軸上の面間隔を示す。図１および図２には、参考として、中心を通過した光線の光路および最大画角で入射した光線の光路についても示す。
【００１７】
図１および図２に示した本実施の形態に係る対物レンズは、比較的小さいサイズ（例えば直径φ＝１．０ｍｍ以下）のレンズ外径を有するものである。
【００１８】
この対物レンズは、光軸Ｚ１に沿って、物体側より順に、第１レンズＬ１，第２レンズＬ２および第３レンズＬ３を備えた３群３枚構成のレンズとなっている。ここで、絞りＳｔが、第１レンズＬ１と第２レンズＬ２との間の最も第２レンズＬ２側に、すなわち、第２レンズＬ２の物体側の面Ｓ３に接するように設けられている。この場合、絞りＳｔは、面Ｓ３に貼り合わせて設けるようにしてもよい。また、この対物レンズの結像面Ｓimg （撮像面）には、内視鏡の接眼部分に光束を導くためのイメージ・ガイド・ファイバなどの光学繊維束の端面（図示せず）が配置される。あるいは、ＣＣＤ（Charged Coupled Device；電荷結合素子）などの撮像素子（図示せず）のカバーガラスを配置するようにしてもよい。なお、光面（光束が透過する面）は全て球面または平面により構成されており、さらに、各レンズはほぼ均一な屈折率分布を示す光学材料によって構成されている。
【００１９】
第１レンズＬ１は、像側に凹面を向けた平凹形状またはメニスカス形状をなし、負のパワーを備えている。この第１レンズＬ１は、モールド成型により形成されるモールドレンズであることが望ましい。
【００２０】
第２レンズＬ２は、像側に凸面を向けた平凸形状をなし、正のパワーを備えている。さらに、第３レンズＬ３は、物体側に凸面を向けた平凸形状をなし、正のパワーを備えている。ここで、第３レンズＬ３における像側の面Ｓ６が、上述した光学繊維束の端面、あるいは、撮像素子のカバーガラスと接合するように構成することが好ましい。また、第２および第３レンズＬ２，Ｌ３は、球状レンズからの削り出しにより形成されたものであることが望ましい。
【００２１】
この対物レンズは、以下の条件式（１）ないし条件式（３）を満足するように構成されている。但し、ｆ１は第１レンズＬ１の焦点距離を表し、ｆは全系の焦点距離を表す。
２．００＜｜ｆ１／ｆ｜＜３．００  ……（１）
２．５０＜｜ｆ１／Ｄ２｜＜７．５０  ……（２）
｜Ｄ３／Ｒ４｜＜１．００  ……（３）
【００２２】
この対物レンズは、さらに、以下の条件式（４）を満足するように構成されていることが望ましい。但し、ｎｄ１は第１レンズＬ１のｄ線に対する屈折率である。
ｎｄ１＞１．８０  ……（４）
【００２３】
次に、この対物レンズの作用および効果について説明する。
【００２４】
この対物レンズでは、第１ないし第３レンズＬ１〜Ｌ３の３枚の単レンズからなる簡単な構成とし、かつ、条件式（１）から条件式（３）を満足するようにしたので、コンパクト化を図りつつ、諸収差を良好に補正することができる。特に、面Ｓ１〜Ｓ６がいずれも非球面形状を含んでいないので、比較的容易に高い寸法精度を得ることができる。また、絞りＳｔを第２レンズＬ２の物体側の面Ｓ３に接するように配置したことにより、結像面Ｓimg への入射光を光軸Ｚ１とほぼ平行にすることができる。よって、テレセントリック性を容易に確保することができるので、イメージ・ガイドの光ファイバを透過する際の光の損失を抑制することができ、あるいは、撮像素子の素子面に垂直入射することができ、物体からの光量を効率よく確保できる。
【００２５】
条件式（１）は、第１レンズＬ１の焦点距離ｆ１と全系の焦点距離ｆとの比を規定するものである。条件式（１）を満足することにより、第１レンズＬ１のパワー範囲が適正となる。一方、条件式（２）は、第１レンズＬ１の焦点距離ｆ１と面間隔Ｄ２との比を規定するものであり、条件式（２）を満足することにより、面間隔Ｄ２の範囲が適正となる。条件式（１）の上限を上回ったりまたは、条件式（２）の上限を上回ったりすると、第１レンズＬ１のパワーが不足するので十分な視野角の確保が困難となる。一方、条件式（１）の下限を下回ったり、または、条件式（２）の下限を下回った場合には、像面湾曲がアンダーになる。すなわち、遮光線束が本来の結像面Ｓimg の手前で結像してしまい、良好な観察像が得られなくなる。
【００２６】
条件式（３）は、第２レンズＬ２の中心厚Ｄ３と、第２レンズＬ２における像側の面Ｓ４の曲率半径Ｒ４との比を規定するものである。絞りＳｔを、面Ｓ３に接するように設置した場合、中心厚Ｄ３と曲率半径Ｒ４とを等しくすると、すなわち、｜Ｄ３／Ｒ４｜が１となるようにすると、面Ｓ３から入射した光束の主光線は面Ｓ４に対して垂直に入射する。ここで、｜Ｄ３／Ｒ４｜が１よりも大きくなるようにすると、すなわち、条件式（３）の上限を上回るようにすると、斜光線は面Ｓ４において急激に屈折されることとなり、コマ収差の発生を招いてしまう。条件式（３）を満足するようにすれば、そのようなコマ収差の発生を抑制することができる。
【００２７】
また、本実施の形態の撮像レンズでは、組み立て上の理由から、あるいは製造性の理由から、鏡胴内に第１レンズＬ１、スペーサ、絞りＳｔ、第２レンズＬ２、スペーサおよび第３レンズＬ３をこの順に挿入して設置する構造となっている。このような構造の場合、最終レンズである第３レンズＬ３を固定する必要がある。固定方法としては、鏡胴の周縁部を加締めることにより固定する方法もあるが、この撮像レンズではバックフォーカスをゼロとしているので、第３レンズＬ３における像側の面Ｓ６を、上述した光学繊維束の端面と、あるいは、撮像素子のカバーガラスと接合することにより固定できる。これにより固定用の加締めしろが不要となるので、有効径を損なうことなく第３レンズＬ３を固定することができ、レンズ外径の増大を防ぐことができる。
【００２８】
条件式（４）は、第１レンズＬ１に使用されるガラス材料の屈折率を規定するものである。第１レンズＬ１は、上述したように条件式（１）で規定されるパワーを有する必要があり、その方法としては、例えば、面Ｓ２の曲率半径Ｒ２を小さくすることが考えられる。しかし、曲率半径Ｒ２を小さくしすぎると、収差を発生し易くするばかりでなく、必要とされる有効径の大きさも確保できなくなる恐れがある。このため、条件式（４）を満足する高い屈折率を有するガラス材料を用いることにより、曲率半径Ｒ２を小さくしすぎることなく、条件式（１）で規定される第１レンズＬ１のパワーを容易に得ることができる。凹形状である面Ｓ２の曲率半径Ｒ２をある程度大きくしておくことは、加工する上での容易性が得られるので、有利である。
【００２９】
本実施の形態の対物レンズは、非常に微細なサイズであるので、通常の形成方法で作製するのは困難である。特に、例えば、凹形状の面Ｓ２を有する第１レンズＬ１において、レンズの両面にチャックを押し当てて芯取りを行うベルクランプ法を用いた場合には、偏芯量を小さく抑えることが困難である。このため、第１レンズＬ１は、耐熱性セラミックなどの金型を用いたモールド成型により形成されるモールドレンズであることが望ましい。この場合、ガラスモールドレンズであることが特に望ましいが、プラスチックモールドレンズであってもよい。一方、凹面を持たない第２および第３レンズＬ２，Ｌ３は、球状レンズからの削り出しにより形成されたものであることが望ましい。すなわち、通常用いられる磨き皿による研磨方法ではなく、所定の直径を有する球状レンズを削って所望の中心厚を決定したのち、所望のレンズ外径となるように芯取りを行うという方法が簡便であり、望ましい。
【００３０】
このように、本実施の形態の対物レンズによれば、良好な収差性能と十分な視野角とを備えつつ、よりコンパクトな構成とすることができる。さらに、本実施の形態の対物レンズは、非球面形状を含んでいないので、比較的容易に高い寸法精度を得ることができる。加えて、テレセントリック性を容易に確保することができる。
【実施例】
【００３１】
次に、上記実施の形態に係る対物レンズの具体的な数値実施例について説明する。
【００３２】
＜実施例１，２＞
以下、第１および第２の数値実施例（実施例１，２）をまとめて説明する。ここで、図１および図３が実施例１に対応し、図２および図４が実施例２に対応する。図３および図４は、図１および図２に示した対物レンズの構成に関するデータを示している。図３および図４におけるＳｉ（面番号）の欄には、各実施例の対物レンズについて、最も物体側の構成要素の面を１番目として、像側に向かうに従い順次増加するｉ番目（ｉ＝１〜６）の構成要素の面の番号を示している。Ｒｉ（曲率半径）の欄には、図１および図２で付した符号Ｒｉに対応した、物体側からｉ番目（ｉ＝１〜６の面の曲率半径の値を示す。同様に、Ｄｉ（面間隔）の欄についても、図１および図２で付した符号Ｄｉに対応した、物体側からｉ番目（ｉ＝１〜５）の面とｉ＋１番目の面との光軸上の間隔を示す。ここで、曲率半径Ｒｉ、および面間隔Ｄｉの単位はミリメートル（ｍｍ）である。さらに、ｎｄｉ（屈折率）の欄には、物体側からｉ番目（ｉ＝１〜６）のレンズ要素のｄ線（波長；５８７．６ｎｍ）に対する屈折率の値を示し、νｊ（アッベ数）の欄には、物体側からｊ番目（ｊ＝１〜３）のレンズ要素のｄ線に対するアッベ数の値を示す。
【００３３】
図５には、各実施例における視野角２ω（ω＝半視野角）、像高ｈ、有効Ｆナンバーおよび絞り径ＳＤのデータと、条件式（１）ないし条件式（３）に対応する算出値とをまとめて示す。ここで、像高ｈおよび絞り径ＳＤの単位はミリメートル（ｍｍ）である。なお、比較を容易にするため、各実施例について、全系の焦点距離ｆを０．５ｍｍに統一すると共に物体距離（第１レンズＬ１の物体側の面Ｓ１と物体との距離）を１０ｍｍとしている。
【００３４】
図５に示したように、実施例１，２は、いずれも条件式（１）ないし条件式（３）を満足している。さらに、図３に示したように、実施例１，２における屈折率ｎｄ１がいずれも１．９０６８０であり、条件式（４）を満足している。
【００３５】
図６（Ａ）〜図６（Ｄ）は、実施例１の対物レンズにおける球面収差、非点収差、ディストーション（歪曲収差）および倍率色収差を示している。同様に、図８（Ａ）〜図８（Ｄ）は、実施例２の対物レンズにおける球面収差、非点収差、ディストーション（歪曲収差）および倍率色収差を示している。各収差図は、ｄ線を基準波長とした収差を示し、特に、球面収差および倍率色収差については、Ｆ線（波長；４８６．１ｎｍ），Ｃ線（波長；６５６．３ｎｍ）についても示す。非点収差において、実線はサジタル方向（Ｓで図示）の収差を示し、破線はタンジェンシャル方向（Ｔで図示）の収差を示す。
【００３６】
さらに、図７は、実施例１の対物レンズについての各半視野角ωにおけるコマ収差を表している。より詳細には、図７（Ａ）〜図７（Ｄ）がタンジェンシャル方向におけるコマ収差を表し、図７（Ｅ）〜図７（Ｇ）がサジタル方向におけるコマ収差を表す。同様に、実施例２の対物レンズについての各半視野角ωにおけるコマ収差を、図９（Ａ）〜図９（Ｇ）に示す。なお、各収差の基準波長はｄ線である。
【００３７】
以上の各レンズデータおよび各収差図から分かるように、各実施例において、所定の条件式を満たし、諸収差を良好に補正することができ、十分な視野角２ωを確保しつつ、よりコンパクトな構成を比較的容易に実現することができた。
【００３８】
＜比較例＞
次に、本実施の形態に係る対物レンズに対する比較例となる従来の対物レンズについて説明する。
【００３９】
図１０は、比較例としての従来の対物レンズの構成を表すものである。図１１および図１２は、図１０の対物レンズについてのレンズデータである。なお、この比較例の対物レンズは、上記特許文献３において実施例５として記載されているものである。なお、図１０ないし図１２における符号Ｓｉ、Ｒｉ、Ｄｉ、ｎｄｉおよびνｊは、図１ないし図５に示した符号に対応する。また、実施例１，２と同様に、曲率半径Ｒｉ、屈折率Ｄｉ、像高ｈおよび絞り径ＳＤの単位はミリメートル（ｍｍ）である。
【００４０】
この比較例の対物レンズ（図１０）における第１レンズＬ１１ないし第３レンズＬ１３は、本実施の形態に係る実施例１，２の対物レンズ（図１および図２）における第１レンズＬ１ないし第３レンズＬ３に対応するものである。図１３および図１４は、上述の実施例１，２の場合（図６ないし図９）と同様に、この比較例の対物レンズについての諸収差を示すものである。
【００４１】
図１１および図１２から明らかなように、この比較例の対物レンズは、実施例１，２と比較して、特に、条件式（１）から条件式（３）についてその条件を満足していない。このため、例えば、図１３（Ｂ）に示したように、非点収差が大きく、十分に補正されていないなど、実施例１，２と比較して十分な性能が得られていない。なお、特許文献３に記載されている他の実施例に関しても、本実施の形態における条件式（１）ないし条件式（４）の条件をすべて満足しているものはない。
【００４２】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【００４３】
例えば、本実施の形態および実施例では、第１のレンズを平凹形状としたが、負のパワーを有するメニスカス形状とするようにしてもよい。
【図面の簡単な説明】
【００４４】
【図１】本発明の一実施の形態に係る内視鏡用対物レンズの構成例を示すものであり、実施例１に対応するレンズ断面図である。
【図２】本発明の一実施の形態に係る内視鏡用対物レンズの他の構成例を示すものであり、実施例２に対応するレンズ断面図である。
【図３】本発明の実施例１に係る内視鏡用対物レンズについてのレンズデータを示す説明図である。
【図４】本発明の実施例２に係る内視鏡用対物レンズについてのレンズデータを示す説明図である。
【図５】本発明の実施例１，２に係る内視鏡用対物レンズについての他のレンズデータを示す説明図である。
【図６】実施例１の内視鏡用対物レンズについての球面収差、非点収差、ディストーションおよび倍率色収差を示す収差図である。
【図７】実施例１の内視鏡用対物レンズについてのコマ収差を示す収差図である。
【図８】実施例２の内視鏡用対物レンズについての球面収差、非点収差、ディストーションおよび倍率色収差を示す収差図である。
【図９】実施例２の内視鏡用対物レンズについてのコマ収差を示す収差図である。
【図１０】比較例としての内視鏡用対物レンズの構成を示すレンズ断面図である。
【図１１】図１０の比較例としての内視鏡用対物レンズについてのレンズデータを示す説明図である。
【図１２】図１０の比較例としての内視鏡用対物レンズについての他のレンズデータを示す説明図である。
【図１３】図１０の比較例としての内視鏡用対物レンズについての球面収差、非点収差、ディストーションおよび倍率色収差を示す収差図である。
【図１４】図１０の比較例としての内視鏡用対物レンズについてのコマ収差を示す収差図である。
【符号の説明】
【００４５】
Ｌ１…第１レンズ、Ｌ２…第２レンズ、Ｌ３…第３レンズ、Ｓｔ…絞り。
【図１】
2004264835.tif 000003
【図２】
2004264835.tif 000004
【図３】
2004264835.tif 000005
【図４】
2004264835.tif 000006
【図５】
2004264835.tif 000007
【図６】
2004264835.tif 000008
【図７】
2004264835.tif 000009
【図８】
2004264835.tif 000010
【図９】
2004264835.tif 000011
【図１０】
2004264835.tif 000012
【図１１】
2004264835.tif 000013
【図１２】
2004264835.tif 000014
【図１３】
2004264835.tif 000015
【図１４】
2004264835.tif 000016